(57)【要約】【課題】ヒータに付着した埃等の発火時や送風用ファンからの送風が停止した時の安全性向上を図ることができる気化式加湿機を提供する。【解決手段】合成樹脂製の本体１、水槽２、この水槽内の水に下部が浸るように設けられた気化フィルター４、気化フィルター４に送風する送風ファン６、送風ファンの吐出口に設けられたヒータ９ａ、このヒータ９ａを外部と絶縁する絶縁体１２、この絶縁体１２を保持する金属製の保護枠１３からなる加熱体９を備え、前記保護枠１３の周囲を該保護枠１３よりも大きな金属製の加熱体カバー１４で覆った構成とした。また、前記保護枠１３と加熱体カバー１４の間には送風が通る充分な空間Ｓを設け、また、前記ヒータ９ａの上方で、かつ風上側に応答性の速い温度検知用のサーミスタを設けた。【選択図】　　　　図１
2004085080.tif 000002
【特許請求の範囲】
【請求項１】
合成樹脂で構成された本体、この本体内に設けられ、常時一定量の水を収容する水槽、この水槽内に下部が水に浸るように設けられ、毛細管現象で水を吸い上げる気化フィルター、この気化フィルターに送風する送風用ファン、この送風用ファンの吐出口に設けられた加熱体を有し、前記加熱体は、ヒータ、このヒータを外部から絶縁する絶縁体、この絶縁体を保持する金属製の保護枠を備えたものにおいて、前記保護枠の周囲を該保護枠よりも大きい金属製の加熱体カバーで覆ったことを特徴とする気化式加湿機。
【請求項２】
前記保護枠と加熱体カバーの間に送風が通る空間を設けたことを特徴とする請求項１記載の気化式加湿機。
【請求項３】
合成樹脂で構成された本体、この本体内に設けられ、常時一定量の水を収容する水槽、この水槽内に下部が水に浸るように設けられ、毛細管現象で水を吸い上げる気化フィルター、この気化フィルターに送風する送風用ファン、この送風用ファンの吐出口に設けられた加熱体を有し、前記加熱体は、ヒータ、このヒータを外部から絶縁する絶縁体、この絶縁体を保持する金属製の保護枠、前記ヒータの異常温度上昇を検知するサーモスタットまたは温度ヒューズ等の安全装置を備えたものにおいて、前記ヒータの上方で、かつ該ヒータよりも風上側に温度検知用のサーミスタを設けたことを特徴とする気化式加湿機。
【発明の詳細な説明】
【０００１】
【発明の属する技術分野】
この発明は、水槽の水を吸い上げた気化フィルターにヒータで加熱した空気を接触させて気化し加湿する気化式加湿機に関するものである。
【０００２】
【従来の技術】
従来のこの種の気化式加湿機として、特開２００２−６１９０１号公報に示されるものがある。
この従来の気化式加湿機においては、ヒータの外郭部分のみに金属製部材を使用して燃焼保護となる構造をとっている。また、送風用ファンの脱落やモータの故障等で送風用ファンが回らないといった送風停止状態やそれによるヒータの異常温度上昇を検出するために、ヒータの近傍に温度ヒューズや熱容量の大きなサーモスタットの安全装置を設けている。なお、特開２００２−６１９０１号公報に示される気化式加湿機では、温度ヒューズやサーモスタットの安全装置については、特に図示はされていないが、一般常識としてヒータの近傍に温度ヒューズやサーモスタットの安全装置が設けられている。
【０００３】
このように、従来の気化式加湿機でも、送風用ファンが脱落したりモータが回転しない等、ヒータに送風が送られてこないときは、ヒータの近傍に設けられた温度ヒューズやサーモスタットが作動して安全が確保されるようになっている。
【０００４】
【発明が解決しようとする課題】
しかしながら、上記従来の気化式加湿機の場合、ヒータに埃等が付着堆積して発火すると、炎が周囲５０ｍｍは広がることもあることから、必ずしも安全とは言えず、発火の熱によって本体が合成樹脂製であると，本体の一部が溶けたり、熱変形したりする可能性が有った。また、送風用ファンの脱落やモータ故障等で送風が停止すると、ヒータが異常に温度上昇するため、安全装置の応答性が遅い場合には上記と同様本体の一部や送風用ファンを熱変形させてしまうといった不具合を生じる。
【０００５】
本発明は、上記問題点を解消する為になされたもので、ヒータに付着堆積した埃等が燃えて発火した場合や送風用ファンの脱落やモータ故障等で送風が停止した場合の安全性を高めた気化式加湿機を提供することを目的としている。
【０００６】
【発明が解決しようとする課題】
本発明の気化式加湿機は、合成樹脂で構成された本体、この本体内に設けられ、常時一定量の水を収容する水槽、この水槽内に下部が水に浸るように設けられ、毛細管現象で水を吸い上げる気化フィルター、この気化フィルターに送風する送風ファン、この送風ファンの吐出口に設けられた加熱体を有し、前記加熱体は、ヒータ、このヒータを外部から絶縁する絶縁体、この絶縁体を保持する金属製の保護枠を備えたものにおいて、前記保護枠の周囲を該保護枠よりも大きな金属製の加熱体カバーで覆うように構成したものである。
【０００７】
また、前記保護枠と加熱体カバーの間に送風が通る空間を設けるように構成したものである。
【０００８】
また、本発明の気化式加湿機は、合成樹脂で構成された本体、この本体内に設けられ、常時一定量の水を収容する水槽、この水槽内に下部が水に浸るように設けられ、毛細管現象で水を吸い上げる気化フィルター、この気化フィルターに送風する送風ファン、この送風ファンの吐出口に設けられた加熱体を有し、前記加熱体は、ヒータ、このヒータを外部から絶縁する絶縁体、この絶縁体を保持する金属製の保護枠、前記ヒータの異常温度上昇を検知するサーモスタットや温度ヒューズ等の安全装置を備えたものにおいて、前記ヒータの上方でかつヒータよりも風上側に温度検知用のサーミスタを設け、送風ファンからの送風が停止した場合やヒータの異常温度上昇時にサーモスタットや温度ヒューズよりも先にサーミスタを動作させるよう構成したものである。
【０００９】
【発明の実施の形態】
実施の形態１．
以下、本発明の実施の形態１を図面に基づいて説明する。
図１は本発明による実施の形態１の気化式加湿機の構成を示す縦断面図、図２は同じく本発明による実施の形態１の気化式加湿機の構成を示す横断面図、図３は同じく本発明による実施の形態１の気化式加湿機の送風部の構成を示す平面図、図４は実施の形態１の加熱体の平面図、図５は実施の形態１の加熱体の側断面図、図６は実施の形態１の絶縁体の平面図、図７は実施の形態１の絶縁体の側断面図、図８は実施の形態１の保護枠の平面図、図９は実施の形態１の保護枠の側断面図である。
図において、１は合成樹脂で構成された加湿機の本体、２はこの本体１内下部に設けられた水槽、３はこの水槽２に給水する水タンク、４は前述の水槽２内の水に下部が浸るように設けられ毛細管現象で水を吸い上げる気化フィルター、５は外部空気を取り込む吸込口、６はこの吸込口５より取り込んだ空気を前述の気化フィルター４に送る送風用ファン、７はこの送風用ファン６を回転駆動するモータ、８はこのモータ７を固定する取付板、９はこの取付板８に固定され、前述の送風用ファン６の吐出口に設けられている加熱体、１０は前述の気化フィルター４を通ることで加湿された空気を運ぶ送風ガイド、１１はこの送風ガイド１０に連通した吹出口である。
前記加熱体９は、絶縁体１２に巻き付けられて固定されたヒータ９ａ、絶縁体１２の形状保持と類焼防止を目的とした金属製の保護枠１３を外郭として持つよう構成され、安全装置として、サーモスタット１５と温度ヒューズ１６がヒータ９ａ近傍の絶縁板１２に取り付けられている。１４は前記保護枠１３の周囲を空気が通貨する空間Ｓを隔てて覆っている金属製の加熱体カバーである。
前記絶縁体１２は、ヒータ９ａを固定する一枚の横絶縁体１２ａと二枚の縦絶縁体１２ｂと、外部との絶縁のための側絶縁体１２ｃで構成されている。
前記保護枠１３は、側絶縁体１２ｃの４辺を囲むように構成され、風が抜けるよう上下方向は開放されている。
【００１０】
前記加熱体カバー１４は、加熱体９の保護枠１３よりも大きな形状（ヒータ９ａからの沿面距離で５０ｍｍ以上）であり、特に立炎した場合に本体１を保護できるよう上側に高く構成している。
【００１１】
１７はヒータ９ａの上方で、かつ該ヒータ９ａの風上側になるように設けられている応答性の速い温度検知用のサーミスタである。
【００１２】
次に、上記の構成からなる実施の形態１の動作について説明する。
水槽２内の水が気化フィルター４に吸い上げられているのを確認した後、運転スイッチ（図示せず）をオンすることによりモータ７に通電され、送風用ファン６が回転し、吸込口５から外部空気を吸い込み、送風を始める。このとき、送風用ファン６の吐出口に設けられた加熱体９のヒータ９ａにも通電することにより、送風空気が加熱されて温風となり、気化フィルター４に送られる。送られた空気は気化フィルター４で熱交換され、熱を奪われる代わりに加湿された湿り空気となり、送風ガイド１０を通り、吹出口１１より外部に放出され、室内の加湿を行う。
【００１３】
前述したように、ヒータ９ａには、長年使用時に付着堆積した埃等からの発火やトラッキングによる発火等が生じる可能性があり、このときの立炎高さは５０ｍｍ程度に達する場合も予想されるが、上記実施の形態１の構成によれば、発火を生じて炎が金属製の保護枠１３を乗り越えた場合でも、前記保護枠１３の周囲に保護枠１３よりも形状の大きい金属製の加熱体カバーが設けられているので、炎は加熱体カバー１４で遮断される。これにより、本体１への熱影響を最小限に抑えることができ、本体１や送風用ファン６の熱変形等を防止できる。
【００１４】
加熱体９や加熱体カバー１４とも風路内に設置される構成のため、お互いを近傍で構成すると、風路内の圧損が大きくなるため、騒音が大きくなるという不具合が予想されるが、上記実施の形態１の構成では加熱体９と加熱体カバー１４の間には適切な空間を設けているため、風量の低下や騒音への影響が少なくて済む効果がある。
【００１５】
また、空気を加熱するヒータ９ａに通電して気化フィルター４へ温風を送り込み、加湿量を増加させる運転の場合、モータの故障等により送風用ファン６が停止してヒータ９ａに送風が行われない状態が発生すると、ヒータ９ａは温度上昇して赤熱するため、加熱体９の内部にはサーモスタット１５や温度ヒューズ１６の安全装置が設置されているが、輻射熱による温度上昇速度は遅いため、熱容量の大きいそれらの安全装置では検知するまでに、ヒータ９ａ周囲の温度が上がりすぎてしまう。この点、上記実施の形態１の構成では、応答性の速いサーミスタ１７をヒータ９ａの上方でかつ風上側になる位置に設けているので、送風停止があると、ヒータ９ａからの上昇熱を受けて即座に応答してサーモスタット１５や温度ヒューズ１６よりも先にヒータ９ａの通電を停止させて、安全を確保することができる。
【００１６】
【発明の効果】
以上のように本発明によれば、送風用ファンからの送風を加熱体で加熱し温風にして気化フィルターに送って気化を促進する気化式加湿機において、加熱体の保護枠の周囲を該護枠よりも大きい金属製の加熱体カバーで覆ったことによって、ヒータに付着堆積した埃等の発火が生じた場合に、合成樹脂で構成された本体の熱的損傷を防止できるという効果が得られる。
【００１７】
また、加熱体の保護枠と加熱体カバーとの間には風路内での圧損を生じさせない様、十分な距離を取るよう構成したことで、風量低下や騒音の増大を防止できるという効果が得られる。
【００１８】
また、ヒータ上方で、かつ風上側になる位置に応答性の速いサーミスタを設けたことで、送風用ファンの脱落やモータの故障等による送風停止時に、サーモスタットや温度ヒューズ等の安全装置よりも先にサーミスタが異常状態に応答して動作するため、製品の安全性をより高められる効果が得られる。
【図面の簡単な説明】
【図１】本発明による実施の形態１の気化式加湿機の縦断面図である。
【図２】本発明による実施の形態１の気化式加湿機の横断面図である。
【図３】本発明による実施の形態１の気化式加湿機の送風部を示す平面図である。
【図４】本発明による実施の形態１の加熱体の平面図である。
【図５】本発明による実施の形態１の加熱体の側断面図である。
【図６】本発明による実施の形態１の絶縁体の平面図である。
【図７】本発明による実施の形態１の絶縁体の側断面図である。
【図８】本発明による実施の形態１の金属製保護枠の平面図である。
【図９】本発明による実施の形態１の金属製保護枠の側断面図である。
【符号の説明】
１　加湿機の本体、２　水槽、３　水タンク、４　気化フィルター、５　吸込口、６　送風用ファン、７　モータ、８　取付板、９　加熱体、１０　送風ガイド、１１　吹出口、１２　絶縁体、１２ａ　横絶縁体、１２ｂ　縦絶縁体、１２ｃ　側絶縁体、１３　保護枠、１４　加熱体カバー、１５　サーモスタット，１６　温度ヒューズ、１７　サーミスタ。
【図１】
2004085080.tif 000003
【図２】
2004085080.tif 000004
【図３】
2004085080.tif 000005
【図４】
2004085080.tif 000006
【図５】
2004085080.tif 000007
【図６】
2004085080.tif 000008
【図７】
2004085080.tif 000009
【図８】
2004085080.tif 000010
【図９】
2004085080.tif 000011